(57)【要約】【課題】通常時には全体を開く通常の開き扉として使用することができ、差圧発生時にはその差圧を解消した後に全体を開くことができる開き扉を提供する。【解決手段】戸枠２に回動自在に支持された扉本体と、該扉本体に回動自在に支持された差圧解消用の差圧扉５と、開き扉１を戸枠２に固定するための第一のラッチ１１と、差圧扉５を扉本体に固定するための第二のラッチと、回動操作されるドアノブ１３と、該ドアノブ１３の回動を第一のラッチ１１と第二のラッチに伝達して第一のラッチ１１と第二のラッチを解除する伝達機構とを備え、伝達機構は、ドアノブ１３が第一操作されると、第二のラッチを固定状態に維持して第一のラッチ１１を解除し、ドアノブ１３が第二操作されると、第一のラッチ１１と第二のラッチの双方を解除する。【選択図】図４
2019199787.tif 000002
【特許請求の範囲】
【請求項１】
戸枠に回動自在に支持された扉本体と、該扉本体に回動自在に支持された差圧解消用の差圧扉と、開き扉を戸枠に固定するための第一のラッチと、差圧扉を扉本体に固定するための第二のラッチと、回動操作されるドアノブと、該ドアノブの回動を第一のラッチと第二のラッチに伝達して第一のラッチと第二のラッチを解除する伝達機構とを備え、
伝達機構は、ドアノブが第一操作されると、第二のラッチを固定状態に維持して第一のラッチを解除し、ドアノブが第二操作されると、第一のラッチと第二のラッチの双方を解除する、開き扉。
【請求項２】
第一操作は、ドアノブを所定方向に第一の角度まで回動させる操作であり、第二の回動操作は、ドアノブを前記所定方向に第一の角度を越えた第二の角度まで回動させる操作である請求項１記載の開き扉。
【請求項３】
第一の角度までの第一区間においてはドアノブに回動負荷を与えず第一の角度から第二の角度までの第二区間においてドアノブに回動負荷を与える負荷付与部を備えている請求項２記載の開き扉。
【請求項４】
伝達機構は、第一のラッチを没入側にスライドさせるための第一の駆動シャフトと、第二のラッチを没入側にスライドさせるための第二の駆動シャフトと、ドアノブの回動を第一及び第二の駆動シャフトに伝達するための制御ロータリとを備え、第二の駆動シャフトは、制御ロータリ側に位置するメインシャフトと、第二のラッチ側に位置し、メインシャフトに対して相対移動可能なサブシャフトとを備え、サブシャフトは第二のラッチ側に付勢されており、ドアノブが第二操作されると、制御ロータリはメインシャフトを介してサブシャフトを移動させて第二のラッチを解除させ、開いた差圧扉が閉じる際に第二のラッチが扉本体に当接して没入側に移動すると、メインシャフトは移動せず、サブシャフトはメインシャフトに対して相対的に移動する請求項１乃至３の何れかに記載の開き扉。
【発明の詳細な説明】
【技術分野】
【０００１】
本発明は、差圧を解消することができる開き扉に関する。
【背景技術】
【０００２】
下記特許文献１では、防火扉に可動体が設けられている。可動体は、防火扉に回動可能に支持されている。防火扉は第一のラッチによって戸枠に固定され、可動体は、第二のラッチによって防火扉に固定される。そして、ドアノブを回動させると、第二のラッチが解除されると同時に第一のラッチが解除される。第二のラッチが解除されることで可動体が開き、防火扉の前後における圧力差が解消される。また、第一のラッチが解除されるので、防火扉を開けることができる。
【０００３】
しかしながら、上記構成では、ドアノブの回動操作によって第一のラッチと第二のラッチの双方が同時に解除されて可動体が開くため、防火扉を火災時ではない通常時において開き扉として使用するには不向きである。
【先行技術文献】
【特許文献】
【０００４】
【特許文献１】特開平７−２５９４０７号公報
【発明の概要】
【発明が解決しようとする課題】
【０００５】
本発明は、差圧が生じていないあるいは差圧が小さい通常時には全体を開く通常の開き扉として使用することができ、大きな差圧が生じている差圧発生時にはその差圧を解消した後に全体を開くことができる開き扉を提供することを課題とする。
【課題を解決するための手段】
【０００６】
本発明に係る開き扉は、戸枠に回動自在に支持された扉本体と、該扉本体に回動自在に支持された差圧解消用の差圧扉と、開き扉を戸枠に固定するための第一のラッチと、差圧扉を扉本体に固定するための第二のラッチと、回動操作されるドアノブと、該ドアノブの回動を第一のラッチと第二のラッチに伝達して第一のラッチと第二のラッチを解除する伝達機構とを備え、伝達機構は、ドアノブが第一操作されると、第二のラッチを固定状態に維持して第一のラッチを解除し、ドアノブが第二操作されると、第一のラッチと第二のラッチの双方を解除する。
【０００７】
該構成の開き扉によれば、ドアノブの第一操作によって、第一のラッチは解除される一方、第二のラッチは固定状態に維持される。従って、差圧が生じていないあるいは差圧が小さい通常時には、ドアノブの第一操作によって、差圧扉を扉本体に固定した状態で開き扉の全体を開くことができる。一方、火災時のように大きな差圧が生じている差圧発生時には、ドアノブの第二操作によって、第一のラッチと第二のラッチの双方を解除することができる。従って、ドアノブの第二操作によって、差圧扉を扉本体に対して開くことによって開き扉の前後における圧力差を解消することができ、圧力解消後に開き扉の全体を開くことができる。尚、大きな差圧が発生している差圧発生時には、例えば、火災発生時や、室内を換気扇等によって強制的に排気しているような場合がある。以下、差圧が生じていないあるいは差圧が小さい通常時を単に通常時といい、大きな差圧が発生している差圧発生時を単に差圧発生時という。
【０００８】
特に、第一操作は、ドアノブを所定方向に第一の角度まで回動させる操作であり、第二の回動操作は、ドアノブを前記所定方向に第一の角度を越えた第二の角度まで回動させる操作であることが好ましい。該構成によれば、第一操作と第二操作とが互いに同一の回動方向であって、しかも第一操作と第二操作は回動角度の大小の相違であるため、ドアノブの操作の区別が容易である。また、通常時にはドアノブを小さい回動角度で操作すれば足りるため、ドアノブの操作が容易であって簡単に開き扉を開けることができる。
【０００９】
また、第一の角度までの第一区間においてはドアノブに回動負荷を与えず第一の角度から第二の角度までの第二区間においてドアノブに回動負荷を与える負荷付与部を備えていることが好ましい。該構成によれば、第一区間から第二区間に移行する段階でドアノブの回動負荷がステップ状に増大する。従って、通常時においてドアノブを第二区間まで回動させることなく第一の角度まで回動操作して第一のラッチのみを解除することができる。
【００１０】
また、伝達機構は、第一のラッチを没入側にスライドさせるための第一の駆動シャフトと、第二のラッチを没入側にスライドさせるための第二の駆動シャフトと、ドアノブの回動を第一及び第二の駆動シャフトに伝達するための制御ロータリとを備え、第二の駆動シャフトは、制御ロータリ側に位置するメインシャフトと、第二のラッチ側に位置し、メインシャフトに対して相対移動可能なサブシャフトとを備え、サブシャフトは第二のラッチ側に付勢されており、ドアノブが第二操作されると、制御ロータリはメインシャフトを介してサブシャフトを移動させて第二のラッチを解除させ、開いた差圧扉が閉じる際に第二のラッチが扉本体に当接して没入側に移動すると、メインシャフトは移動せず、サブシャフトはメインシャフトに対して相対的に移動することが好ましい。差圧扉が閉まる直前に、サブシャフトは第二のラッチの没入側に移動する一方、メインシャフトは移動しないので、ドアノブが回動しない。
【発明の効果】
【００１１】
以上のように、ドアノブの第一操作では第二のラッチは解除されず差圧扉は開かないので、通常時において、全体を開く一般的な開き扉として使用することができる。
【図面の簡単な説明】
【００１２】
【図１】本発明の一実施形態における開き扉を示す一部破断線を含む正面図であって開き扉が閉じた状態を示す。
【図２】同開き扉の一部断面を含む平面図。
【図３】同開き扉の一部断面を含む平面図であって、差圧扉が開いた状態を示す。
【図４】図１の要部拡大平面図。
【図５】図４のＡ−Ａ断面図。
【図６】図４のＢ−Ｂ断面図。
【図７】図４に対応した要部拡大平面図であって、第一のラッチが解除された状態を示す。
【図８】図４に対応した要部拡大平面図であって、第二のラッチが解除された状態を示す。
【図９】図４に対応した要部拡大平面図であって、扉本体及び差圧扉が閉じる直前の状態を示す。
【図１０】図７に対応した状態を示す図であって、（ａ）は要部拡大平面図、（ｂ）は要部拡大正面図。
【図１１】図８に対応した状態を示す図であって、（ａ）は要部拡大平面図、（ｂ）は要部拡大正面図。
【図１２】図９に対応した状態を示す図であって、（ａ）は要部拡大平面図、（ｂ）は要部拡大正面図。
【発明を実施するための形態】
【００１３】
以下、本発明の一実施形態にかかる開き扉１について図１〜図１２を参酌しつつ説明する。図１〜図３に、本実施形態にかかる開き扉１の全体構造を示している。開き扉１は、防火扉として使用することができる他、マンションの玄関において室内と室外とを区画する玄関扉等として使用できる。開き扉１は、上下方向の軸線まわりに回動して開口部である通路を開閉する。開き扉１の開き方向（左右勝手）は左右何れであってもよいが、本実施形態は左勝手の仕様である。通路は戸枠２によって区画されていて、その戸枠２に開き扉１の基端部が上下のヒンジ３を介して回動可能に支持されている。従って、開き扉１の回動軸線１ａは開き扉１の基端部に位置している。尚、開き扉１の基端部とは、開き扉１の回動軸線１ａに近い側の端部であり、開き扉１の先端部とは基端部とは反対側であって開き扉１の回動軸線１ａから遠い側の端部である。以下、開き扉１の先端側を単に扉先端側と称し、開き扉１の基端側を単に扉基端側と称する。
【００１４】
開き扉１は、開き扉１の大部分の面積を占める扉本体４と、扉本体４とは別体に構成された差圧解消用の差圧扉５とを備えている。扉本体４は、戸枠２にヒンジ３を介して支持されており、図示しないドアクローザによって閉じ側に付勢されている。差圧扉５は、扉本体４に回動可能に支持されている。差圧扉５は、扉本体４の扉先端側に位置している。扉本体４の扉先端側の端部と戸枠２との間には、差圧を解消するための差圧解消用の開口部が形成されていて、差圧扉５は、その差圧解消用の開口部を閉じる。差圧解消用の開口部の形状、大きさは任意であるが、本実施形態では、通路の上下方向の全長に亘って形成されている。従って、通路は、左右二つに区分されていて、図１において通路の左側の部分が差圧扉５で閉じられ、通路の右側の部分が扉本体４で閉じられる。また、開き扉１は、左右二つに区分されていて、扉先端側の領域が差圧扉５により構成され、扉基端側の領域が扉本体４によって構成されている。扉本体４の回動軸線は開き扉１の回動軸線１ａである。
【００１５】
差圧扉５は、上下方向の軸線まわりに回動する。差圧扉５の回動軸線５ａは上下方向に沿っていて、差圧扉５の回動軸線５ａと開き扉１の回動軸線１ａは互いに平行である。差圧扉５の回動軸線５ａは、差圧扉５の左右方向の略中央部に位置している。差圧扉５は、その上下両端部において扉本体４に支持されている。差圧扉５は、ヒンジクローザ６によって閉じ側に付勢されている。図２は差圧扉５が閉じた状態を示しており、扉本体４と差圧扉５は一直線状となっている。図３は差圧扉５が開いた状態を示しており、差圧扉５は全閉状態から平面視において反時計回りに回動して開く。尚、扉本体４も、差圧扉５と同様に、全閉状態から平面視において反時計回りに回動して開く。従って、扉本体４と差圧扉５は互いに開く方向が同じである。尚、図１において、扉本体４は手前側に引かれて開き、差圧扉５も手前側に引かれて開く。
【００１６】
開き扉１は、開き扉１の全体を戸枠２に固定するための第一のラッチ１１と、差圧扉５を扉本体４に固定するための第二のラッチ１２と、第一のラッチ１１及び第二のラッチ１２を解除すべく回動操作されるドアノブ１３と、ドアノブ１３の回動を第一のラッチ１１と第二のラッチ１２に伝達して第一のラッチ１１と第二のラッチ１２を解除する伝達機構とを備えている。第一のラッチ１１は開き扉１の先端部に設けられていて、左右方向（水平方向）に沿ってスライド可能である。第一のラッチ１１が係合する第一の係合凹部１４は、戸枠２に設けられていて、具体的には、開き扉１の先端部と対峙する戸枠２の縦枠に設けられている。図４に拡大図を示しているように、第一のラッチ１１は第一のコイルバネ１５によって突出側（扉先端側）に向けて付勢されている。第一のラッチ１１は、通常は第一のコイルバネ１５によって付勢されて開き扉１から突出した突出状態となっている。第一のラッチ１１が戸枠２に当たって押されると、第一のラッチ１１は第一のコイルバネ１５の付勢力に抗して開き扉１の内部に没入していく。開き扉１の扉先端側の領域は差圧扉５によって構成されているため、第一のラッチ１１は差圧扉５に設けられている。第一のラッチ１１は差圧扉５の扉先端側の端部に設けられている。
【００１７】
第二のラッチ１２は、差圧扉５の扉基端側の端部に設けられている。即ち、第二のラッチ１２は第一のラッチ１１とは反対側に位置している。第二のラッチ１２は、第一のラッチ１１と同様に、左右方向（水平方向）に沿ってスライド可能である。図１０にも示しているように、第二のラッチ１２が係合する第二の係合凹部１６は、扉本体４の扉先端側の端部に設けられている。また、第二のラッチ１２は、図４に示している第二のコイルバネ１７によって突出側（扉基端側）に向けて付勢されている。第二のラッチ１２は、通常は第二のコイルバネ１７によって付勢されて差圧扉５から突出した突出状態となっている。第二のラッチ１２が扉本体４に当たって押されると、第二のラッチ１２は第二のコイルバネ１７の付勢力に抗して差圧扉５の内部に没入していく。第二のコイルバネ１７による第二のラッチ１２の付勢方向は、第一のコイルバネ１５による第一のラッチ１１の付勢方向とは逆方向である。尚、第一のラッチ１１と第二のラッチ１２は正面視において互いに同一線上に位置していてもよいが、本実施形態では同一線上ではなく、互いに上下に位置ずれしていて、第一のラッチ１１が上側に位置し、第二のラッチ１２が下側に位置している。
【００１８】
ドアノブ１３は、開き扉１の先端部に設けられており、具体的には、差圧扉５に設けられている。ドアノブ１３は、前後方向の軸線まわりに回動操作が可能である。具体的には、図１及び図４に示す正面視において、ドアノブ１３は、時計回りに回動操作され、その時計回りの回動操作によって第一のラッチ１１が解除され、また、第二のラッチ１２が解除される。ドアノブ１３は、図４〜図６に示すように、前後方向の回動軸線１３ａを中心として回動操作される前後一対のハンドル部２０を備えている。該ハンドル部２０は、ドアノブ１３の回動軸線１３ａの方向に沿って延びる軸部２０ａと、該軸部２０ａの先端部から回動軸線１３ａに対して直交した方向である径方向に延びる腕部２０ｂとを有している。ハンドル部２０は、腕部２０ｂが図４のように略水平な状態となっている状態を基本位置とし、その基本位置を０度位置と称する。ハンドル部２０は０度位置から正面視時計回りに回動する。ドアノブ１３は、捻りコイルバネ２１によって正面視反時計回りに付勢されている。但し、ドアノブ１３は０度位置よりも反時計回りへの回動が規制されていて、０度位置から反時計回りには回動操作ができない。
【００１９】
伝達機構は、ドアノブ１３の回動を第一のラッチ１１に伝達したり、第二のラッチ１２に伝達したりすることによって、第一のラッチ１１を解除したり、また第二のラッチ１２を解除したりする。伝達機構は、ドアノブ１３の回動を、第一のラッチ１１と第二のラッチ１２に選択的に伝達する。即ち、伝達機構は、ドアノブ１３の回動を第二のラッチ１２には伝達せずに第一のラッチ１１のみに伝達する状態と、ドアノブ１３の回動を第一のラッチ１１と第二のラッチ１２の双方に伝達する状態とがある。
【００２０】
伝達機構は、第一のラッチ１１を没入側にスライドさせるための第一の駆動シャフト３１と、第二のラッチ１２を没入側にスライドさせるための第二の駆動シャフト３２と、ドアノブ１３の回動を第一及び第二の駆動シャフト３１，３２に伝達して第一及び第二の駆動シャフト３１，３２をそれぞれの中心線の方向に移動させる制御ロータリとを備えている。第一の駆動シャフト３１は、第一のラッチ１１から第一のラッチ１１の没入側に向けて延びている。第一の駆動シャフト３１は、その中心線の方向に沿ってスライド可能である。第一の駆動シャフト３１は、ドアノブ１３の回動軸線１３ａよりも上側に位置している。図４のように開き扉１が閉じた状態では第一のラッチ１１は固定状態にあって、その状態において、第一の駆動シャフト３１の扉基端側の端部は、ドアノブ１３の回動軸線１３ａに対して、若干、扉先端側に位置している。第一の駆動シャフト３１の扉先端側の端部に第一のラッチ１１が取り付けられていて、第一のラッチ１１は第一の駆動シャフト３１と一体となってスライドする。差圧扉５の内部には第一の固定プレート３３が設けられている。第一の固定プレート３３は、ドアノブ１３の回動軸線１３ａよりも扉先端側に位置している。第一の駆動シャフト３１は第一の固定プレート３３を水平方向に貫通している。第一のラッチ１１と第一の固定プレート３３との間には、第一のラッチ１１を突出側に付勢する第一のコイルバネ１５が設けられており、第一のコイルバネ１５を第一の駆動シャフト３１が挿通している。第一の駆動シャフト３１の扉基端側の端部は、第一の固定プレート３３に対して第一のラッチ１１とは反対側に位置する。即ち、第一の駆動シャフト３１の扉先端側の端部は、第一の固定プレート３３に対して扉先端側に位置し、第一の駆動シャフト３１の扉基端側の端部は、第一の固定プレート３３に対して扉基端側に位置する。第一の駆動シャフト３１の扉基端側の端部にはフランジ部３１ａが設けられている。
【００２１】
第二の駆動シャフト３２は、第二のラッチ１２から第二のラッチ１２の没入側に向けて延びている。第二の駆動シャフト３２は、その中心線の方向に沿ってスライド可能である。第二の駆動シャフト３２は、第一の駆動シャフト３１よりも下側に位置していて、ドアノブ１３の回動軸線１３ａよりも下側に位置している。従って、第二の駆動シャフト３２は、ドアノブ１３の回動軸線１３ａに対して、第一の駆動シャフト３１とは上下反対側に位置する。第二の駆動シャフト３２は第一の駆動シャフト３１と平行である。第二の駆動シャフト３２は、互いに別体である二つのシャフトから構成されている。即ち、第二の駆動シャフト３２は、制御ロータリ側に位置するメインシャフト３４と、第二のラッチ１２側に位置するサブシャフト３５とから構成されている。サブシャフト３５はメインシャフト３４に対して中心線の方向に沿って相対移動が可能である。メインシャフト３４はサブシャフト３５に対して扉先端側に位置している。メインシャフト３４とサブシャフト３５は一直線上に位置している。メインシャフト３４は、ドアノブ１３の回動軸線１３ａの直下に位置し、サブシャフト３５はドアノブ１３の回動軸線１３ａから扉基端側に離れて位置している。メインシャフト３４の扉基端側の端部にサブシャフト３５の扉先端側の端部が所定長さ範囲内で相対的にスライド可能に接合されている。具体的には、メインシャフト３４の扉基端側の端部には、メインシャフト３４の中心線の方向に沿ってスライド孔３６が形成されていると共に、第一の係合ピン３７が設けられている。サブシャフト３５の扉先端側の端部はメインシャフト３４のスライド孔３６に係入している。また、サブシャフト３５の扉先端側の端部にはサブシャフト３５の中心線の方向に沿って長い第一の長孔３８が形成されており、該第一の長孔３８に第一の係合ピン３７が係合している。従って、サブシャフト３５はメインシャフト３４に対して第一の長孔３８の長さに対応した距離だけ相対的にスライドでき、第二の駆動シャフト３２は、第一の長孔３８に対応した長さ分だけ伸縮できる。
【００２２】
サブシャフト３５の扉基端側の端部に第二のラッチ１２が取り付けられていて、第二のラッチ１２はサブシャフト３５と一体となって水平方向にスライドする。サブシャフト３５の扉先端側の端部の近傍には、バネ押さえ板３９が取り付けられている。差圧扉５の内部には、第二の固定プレート４０が設けられており、メインシャフト３４は第二の固定プレート４０を貫通している。バネ押さえ板３９と第二の固定プレート４０との間には、サブシャフト３５を扉基端側に付勢するための、即ち、サブシャフト３５をメインシャフト３４から離れる方向に付勢するための第二のコイルバネ１７が配置されている。メインシャフト３４とサブシャフト３５は第二のコイルバネ１７を挿通している。第二のコイルバネ１７の付勢力によって、第二の駆動シャフト３２は、通常は、最も伸張した伸張状態にある。
【００２３】
差圧扉５の内部には第三の固定プレート４１が設けられている。第三の固定プレート４１は第二の固定プレート４０に対して扉先端側に離れて位置している。メインシャフト３４は第三の固定プレート４１を貫通し、メインシャフト３４の扉先端側の端部は第三の固定プレート４１よりも扉先端側に位置している。メインシャフト３４の扉先端側の端部にはストッパ４２が設けられており、該ストッパ４２が第三の固定プレート４１に当たることで、それ以上メインシャフト３４は扉基端側に移動できない。メインシャフト３４の中央部近傍には段差部４３が形成されており、該段差部４３と第三の固定プレート４１との間に第三のコイルバネ４４が配置されている。メインシャフト３４は第三のコイルバネ４４を挿通している。第三のコイルバネ４４はメインシャフト３４を扉基端側に向けて付勢している。第三のコイルバネ４４は、第二のコイルバネ１７よりも線径が太く強いバネであり、第一のコイルバネ１５よりも線径が太く強いバネである。メインシャフト３４の中央部であって段差部４３とスライド孔３６との間の位置には、前後方向に貫通した第二の長孔４５が形成されている。該第二の長孔４５は、メインシャフト３４の中心線の方向に対して直交する方向であって上下方向に長い形状である。該第二の長孔４５には第二の係合ピン４６が係合している。第二の係合ピン４６はメインシャフト３４を前後方向に貫通していてその前後両端部はそれぞれメインシャフト３４の外側に突出している。
【００２４】
図５のようにドアノブ１３は、前後一対のハンドル部２０を前後に連結する連結シャフト２２を備えている。連結シャフト２２は、ドアノブ１３の回動軸線１３ａ上に位置している。連結シャフト２２は差圧扉５を前後方向に貫通している。連結シャフト２２の中央部に制御ロータリとしての前後一対の制御プレート５１が取り付けられている。前後の制御プレート５１は連結シャフト２２と一体に回動する。図５及び図６のように前後の制御プレート５１は互いに前後方向に離間して平行に配置されている。前後の制御プレート５１は互いに同一形状であり、図４及び図７〜図９は、前後の制御プレート５１の間の位置で切断された断面図であるため、後側の制御プレート５１のみが図示されている。
【００２５】
制御プレート５１は、第一の駆動シャフト３１を扉基端側にスライドさせるための第一駆動部５２と、第二の駆動シャフト３２を扉先端側にスライドさせるための第二駆動部５３とを備えている。第一駆動部５２と第二駆動部５３は、それぞれドアノブ１３の回動軸線１３ａを中心として径方向外側に突設されている。ハンドル部２０が略水平状態にあるとき、第一駆動部５２は制御プレート５１の上側に位置し、第二駆動部５３は制御プレート５１の下側に位置している。第一駆動部５２は、第一の駆動シャフト３１のフランジ部３１ａに扉先端側から当接している。そして、ドアノブ１３の正面視時計回りの回動に伴って、第一駆動部５２は、第一の駆動シャフト３１のフランジ部３１ａを扉先端側に押し、第一の駆動シャフト３１を扉先端側に移動させる。第二駆動部５３には第三の長孔５４が形成されている。第三の長孔５４は、ドアノブ１３の回動軸線１３ａを中心とした円弧状である。該第三の長孔５４に、第二の係合ピン４６の端部が係合している。前後の制御プレート５１の間には、捻りコイルバネ２１が配置されている。図４のようにドアノブ１３が０度位置にあるとき、第一駆動部５２が第一の固定プレート３３に扉基端側から当接しており、第一の固定プレート３３によって制御プレート５１の正面視反時計回りの回動が規制されている。前後の制御プレート５１の間に、第一の駆動シャフト３１と第二の駆動シャフト３２が位置している。
【００２６】
次に、ドアノブ１３の回動操作と第一のラッチ１１及び第二のラッチ１２の動作について説明する。図４はドアノブ１３が０度位置の状態を示しており、図７はドアノブ１３が第一の角度まで回動させたときの状態を示しており、図８はドアノブ１３を第二の角度まで回動させたときの状態を示している。第一の角度及び第二の角度は何れも任意に設定してよいが、一例を挙げると、第一の角度は３０度で、第二の角度は６０度である。０度位置から第一の角度までの区間が第一区間であり、第一の角度から第二の角度までの区間が第二区間である。
【００２７】
図４のように開き扉１が閉じた状態ではドアノブ１３は０度位置にある。０度位置において、第一のラッチ１１は差圧扉５の扉先端側の端部から突出した突出状態にあって第一の係合凹部１４に係合していて固定状態にあり、開き扉１は戸枠２に固定されていて閉じた状態を維持する。また、０度位置においては、図１０のように、第二のラッチ１２は差圧扉５の扉基端側の端部から突出した突出状態にあって第二の係合凹部１６に係合していて固定状態にあり、差圧扉５は扉本体４に固定されていて閉じた状態を維持する。第二の係合ピン４６は、第三の長孔５４の周方向の第一の端部に位置している。
【００２８】
図４に示す０度位置からドアノブ１３を正面視時計回りに回動させていくと、その回動操作に伴って第一駆動部５２が第一の駆動シャフト３１を扉基端側に移動させる。第一の駆動シャフト３１が扉基端側に移動することによって第一のコイルバネ１５は圧縮される。一方、第二駆動部５３が正面視時計回りに回動することで、第二の係合ピン４６は第三の長孔５４をその周方向の第一の端部から第二の端部へと相対的に移動していく。このように第二の係合ピン４６が第三の長孔５４を移動するので、ドアノブ１３を回動させても、第二の駆動シャフト３２は移動せず、第二のラッチ１２は固定状態に維持される。ドアノブ１３を第一の角度まで回動させると、第二の係合ピン４６は第三の長孔５４の周方向の第二の端部に当接する。従って、第三の長孔５４の中心角は、第一区間に対応した角度である。尚、ドアノブ１３を正面視時計回りに回動させていくと、それに伴って捻りコイルバネ２１の捻れ角度が増加し、制御プレート５１をより一層強く正面視反時計回りに付勢することになる。
【００２９】
そして、図７のようにドアノブ１３を第一の角度まで回動させると、第一のラッチ１１は、第一の係合凹部１４から抜け出て解除状態となり、差圧扉５の内部に退避するように入り込んだ没入状態となる。ドアノブ１３を第一の角度まで回動させることで第一のラッチ１１が解除されるので、開き扉１を開くことができる。一方、ドアノブ１３を第一の角度まで回動させても、第二のラッチ１２は固定状態に維持されており、差圧扉５は扉本体４に固定された状態のままであって差圧扉５を扉本体４に対して開くことはできない。
【００３０】
ドアノブ１３を図７の第一の角度から更に正面視時計回りに回動させると、第一駆動部５２は第一の駆動シャフト３１を更に扉基端側に移動させ、第一のコイルバネ１５は更に圧縮していく。一方、第二駆動部５３は第二の係合ピン４６を扉先端側に押していく。第二の係合ピン４６は第二駆動部５３によって扉先端側に押されながら第二の長孔４５を上側に移動していく。また、第二の係合ピン４６が第二駆動部５３によって扉先端側に押されることで、メインシャフト３４が扉先端側に移動する。メインシャフト３４が扉先端側に移動することによって、第三のコイルバネ４４は圧縮を開始する。第三のコイルバネ４４が圧縮し始めることで、ドアノブ１３には新たな回動負荷が発生する。即ち、第三のコイルバネ４４は第一区間においてはドアノブ１３に回転負荷を与えず第二区間においてドアノブ１３に回動負荷を与えることになる。
【００３１】
メインシャフト３４が扉先端側に移動すると、そのメインシャフト３４の移動は第一の係合ピン３７を介してサブシャフト３５に伝達され、サブシャフト３５もメインシャフト３４に引き連れられて扉先端側に移動する。即ち、メインシャフト３４とサブシャフト３５は一体となって扉先端側に移動する。そのため、第二のラッチ１２は第二の係合凹部１６から抜け出す方向に移動していく。サブシャフト３５が扉先端側に移動することによって、第二のコイルバネ１７は圧縮を開始する。第二のコイルバネ１７が圧縮し始めることで、ドアノブ１３には新たな回動負荷が発生する。即ち、第二のコイルバネ１７も第三のコイルバネ４４と共に第二区間においてドアノブ１３に回動負荷を与えることになる。本実施形態において、第二のコイルバネ１７と第三のコイルバネ４４が、第一区間においてはドアノブ１３に回動負荷を与えず第二区間においてドアノブ１３に回動負荷を与える負荷付与部である。
【００３２】
そして、図８のようにドアノブ１３を第二の角度まで回動させると、図１１のように第二のラッチ１２は第二の係合凹部１６から抜け出て解除状態となり、差圧扉５の内部に退避するように入り込んだ没入状態となる。ドアノブ１３を第二の角度まで回動させると、第二の係合ピン４６は第二の長孔４５の上端部に位置し、第二駆動部５３はネジボス２３に当接する。従って、ドアノブ１３を第二の角度を越えて正面視時計回りに回動操作することはできない。ドアノブ１３を第二の角度まで回動させると、第二のラッチ１２は解除状態となるが、第一のラッチ１１は既に解除されているので、図３のように差圧扉５のみを開くことができる。従って、差圧発生時には、差圧扉５のみを開くことで開き扉１の前後における圧力差を解消させることができる。
【００３３】
圧力差が解消された後、扉本体４を含めて開き扉１の全体を開いて人が通ることができる。ドアノブ１３から手を離すと、直ちに、ドアノブ１３は図４のような元の０度位置に戻り、第一の駆動シャフト３１と第二の駆動シャフト３２は図４のような元の初期位置まで戻り、第一のラッチ１１と第二のラッチ１２は突出状態に戻る。そして、扉本体４は図示しないドアクローザによって自動的に閉じ側に回動し、差圧扉５はヒンジクローザ６によって自動的に閉じ側に回動していく。
【００３４】
図９及び図１２に開き扉１が戸枠２に対して全閉状態となる直前の状態であって差圧扉５が扉本体４に対して全閉状態となる直前の状態を示している。図９のように、第一のラッチ１１は戸枠２に当たることで戸枠２に押されて差圧扉５の内部に入っていく。この第一のラッチ１１の扉基端側への移動に伴って第一の駆動シャフト３１も扉基端側に移動する。一方、制御プレート５１の第一駆動部５２は捻りコイルバネ２１の付勢力によって第一の固定プレート３３に当接した状態を維持している。従って、第一の駆動シャフト３１のフランジ部３１ａは制御プレート５１の第一駆動部５２から扉先端側に離れる。
【００３５】
図１２のように、第二のラッチ１２は扉本体４に当たることで扉本体４に押されて差圧扉５の内部に入っていく。この第二のラッチ１２の扉先端側への移動に伴って第二の駆動シャフト３２のサブシャフト３５も扉先端側に移動する。図９のように、サブシャフト３５は第二のコイルバネ１７を圧縮しつつ扉先端側に移動するが、メインシャフト３４は移動せずに初期位置に保たれる。即ち、第二の駆動シャフト３２は、長さが短い圧縮状態となる。メインシャフト３４が扉先端側に移動しないので、ドアノブ１３は回動せずに０度位置を維持する。
【００３６】
以上のように、本実施形態の開き扉１においては、ドアノブ１３を第一の角度を越えない角度範囲で回動させることで第一のラッチ１１のみを解除できるので、通常時において開き扉１を全体が開閉する一般的な開き扉として使用することができる。また、小さい角度範囲の回動操作で第一のラッチ１１を解除できるので、楽に簡単に開き扉１を開けることができる。更に、ドアノブ１３が第二区間に入ると、負荷付与部としての第二のコイルバネ１７と第三のコイルバネ４４が圧縮を開始するので、第一区間から第二区間に移行する際にドアノブ１３の回転負荷はステップ状に増大する。そのため、ドアノブ１３を第一の角度まで回動させた際に第二のコイルバネ１７と第三のコイルバネ４４が一種のストッパとなって機能し、ドアノブ１３を操作する手にドアノブ１３が第一の角度に到達したことが触感として伝わる。従って、通常時においてドアノブ１３を第一区間内で容易に回動操作できる。特に、第二のコイルバネ１７とは別に第三のコイルバネ４４が設けられていて、その第三のコイルバネ４４が第二のコイルバネ１７よりも強いものであるため、第一区間と第二区間との間におけるドアノブ１３の回動負荷の差が大きい。しかも、第二のコイルバネ１７は第三のコイルバネ４４よりも弱いものであるため、差圧扉５が閉じる直前において第二のコイルバネ１７のみが圧縮して第二のラッチ１２が確実に没入状態となる。従って、第二のラッチ１２は確実に固定状態に復帰し、差圧扉５は閉じた状態に確実に復帰する。
【００３７】
そして、第二の駆動シャフト３２がメインシャフト３４とサブシャフト３５という二本のシャフトから構成されているので、差圧扉５の全閉直前にサブシャフト３５のみが移動する。仮に、第二の駆動シャフト３２が一本のシャフトから構成されていると、差圧扉５の全閉直前に第二の駆動シャフト３２の全体が扉先端側に移動することになり、第二の係合ピン４６を介して第二の駆動シャフト３２と連結されている制御プレート５１も正面視時計回りに回動してドアノブ１３が回動することになる。しかも、その際には第三のコイルバネ４４が圧縮することから第三のコイルバネ４４を弱いものとする必要があるが、第三のコイルバネ４４を弱いものにすると、第一区間から第二区間に移行する際の回動負荷の段差が小さくなり、通常時のドアノブ１３の回動操作において第二区間に移行させないための第三のコイルバネ４４のストッパ機能が弱まる。
【００３８】
尚、本実施形態では、開き扉１の先端部の上下方向の全体が差圧扉５によって構成されているが、扉本体４の扉先端側の端部に切欠部を形成して、その切欠部に差圧扉５を配置することによって、開き扉１の先端部の一部を差圧扉５で構成し残部を扉本体４で構成してもよい。その場合、第一のラッチ１１やドアノブ１３を差圧扉５ではなく扉本体４に設けてもよい。
【００３９】
また、第二のラッチ１２の配置も任意であって、上記実施形態では差圧扉５の扉基端側の端部に配置していたが、上述のように扉本体４に切欠部を設ける場合には、差圧扉５の上端部や下端部に配置してもよい。そのように第二のラッチ１２を差圧扉５の上端部や下端部に配置した場合には、第二の駆動シャフト３２も上下方向に沿って延びることになり、第一の駆動シャフト３１と第二の駆動シャフト３２は互いに平行ではなく例えば直交することになる。
【００４０】
制御プレート５１の第二駆動部５３の構成も種々変更可能であって、上記実施形態では第二の係合ピン４６によって第二駆動部５３が第二の駆動シャフト３２に連結されていたが、第二駆動部５３も第一駆動部５２と同様に第二の駆動シャフト３２を扉基端側から押す構成としてもよい。その場合、第二駆動部５３は、第一区間においては第二の駆動シャフト３２には当接せずに正面視反時計回りに離れた状態にあって、ドアノブ１３が第一の角度になると第二の駆動シャフト３２に扉基端側から当接して第二の駆動シャフト３２を扉先端側に押して移動させるように構成することができる。
【００４１】
制御ロータリの構成も種々変更可能であって、上記実施形態では制御ロータリとして前後一対の制御プレート５１を備えていたが、一つの部材から制御ロータリを構成してもよい。
【００４２】
伝達機構の構成も種々変更可能であって、上記実施形態ではドアノブ１３の第一操作がドアノブ１３を第一の角度まで回動させる操作でドアノブ１３の第二操作がドアノブ１３を第二の角度まで回動させる操作であったが、第一操作と第二操作が互いに逆方向の回動操作であったりしてもよく、第一操作と第二操作は種々の操作であってよい。
【符号の説明】
【００４３】
１    開き扉
１ａ  回動軸線
２    戸枠
３    ヒンジ
４    扉本体
５    差圧扉
５ａ  回動軸線
６    ヒンジクローザ
１１    第一のラッチ
１２    第二のラッチ
１３    ドアノブ
１３ａ  回動軸線
１４    第一の係合凹部
１５    第一のコイルバネ
１６    第二の係合凹部
１７    第二のコイルバネ
２０    ハンドル部
２０ａ  軸部
２０ｂ  腕部
２１    捻りコイルバネ
２２    連結シャフト
２３    ネジボス
３１    第一の駆動シャフト（伝達機構）
３１ａ  フランジ部
３２    第二の駆動シャフト（伝達機構）
３３    第一の固定プレート
３４    メインシャフト
３５    サブシャフト
３６    スライド孔
３７    第一の係合ピン
３８    第一の長孔
３９    バネ押さえ板
４０    第二の固定プレート
４１    第三の固定プレート
４２    ストッパ
４３    段差部
４４    第三のコイルバネ
４５    第二の長孔
４６    第二の係合ピン
５１    制御プレート（伝達機構、制御ロータリ）
５２    第一駆動部
５３    第二駆動部
５４    第三の長孔
【図１】
2019199787.tif 000003
【図２】
2019199787.tif 000004
【図３】
2019199787.tif 000005
【図４】
2019199787.tif 000006
【図５】
2019199787.tif 000007
【図６】
2019199787.tif 000008
【図７】
2019199787.tif 000009
【図８】
2019199787.tif 000010
【図９】
2019199787.tif 000011
【図１０】
2019199787.tif 000012
【図１１】
2019199787.tif 000013
【図１２】
2019199787.tif 000014